(57)【要約】【課題】  発変電所等の空き容量を確実に確認することを可能にする空き容量算定システムを提供することにある。【解決手段】  各発変電所のバンクの負荷および分散電源の値が記入されている系統アクセス情報公開諸元一覧表のデータを外部から参照可能に記憶している空き容量システム１０を利用する空き容量算定システムであって、指定された発変電所についてのバンクの負荷および分散電源の値を系統アクセス情報公開諸元一覧表のデータから抽出し、空き容量を確認するために作成されている確認シートの所定箇所に抽出した負荷および分散電源の値を記入し、確認シートに記入した値から発変電所の各バンクでの空き容量を算定し、各バンクの算定した空き容量を前記確認シートに記入する処理装置２０を備える。【選択図】  図１
2020092581.tif 000002
【特許請求の範囲】
【請求項１】
各発変電所のバンクの負荷および分散電源の値が記入されている系統アクセス情報公開諸元一覧表のデータを外部から参照可能に記憶している空き容量システムを利用する空き容量算定システムであって、
指定された発変電所についてのバンクの負荷および分散電源の値を前記系統アクセス情報公開諸元一覧表のデータから抽出し、空き容量を確認するためにあらかじめ作成されている確認シートの所定箇所に前記抽出した負荷および分散電源の値を記入し、前記確認シートに記入した値から前記発変電所の各バンクでの空き容量を算定し、前記各バンクの算定した空き容量を前記確認シートに記入する処理装置、
を備えることを特徴とする空き容量算定システム。
【請求項２】
前記処理装置は、前記各バンクの空き容量を基に前記発変電所の空き容量を算定して前記確認シートに記入する、
ことを特徴とする請求項１に記載の空き容量算定システム。
【請求項３】
前記処理装置は、前記確認シートの所定箇所に前記負荷および分散電源の値を記入した後、この記入した値から前記各バンクの潮流を算定し、あらかじめ前記確認シートに記入されている前記各バンクの設備容量と、前記各バンクの算定した潮流とから各バンクの空き容量を算定する、
ことを特徴とする請求項１または２に記載の空き容量算定システム。
【請求項４】
前記処理装置は、前記確認シートに記入した負荷および分散電源の値から前記各バンクでの空き容量を算定した後、各空き容量の中で最小の値を選択し、選択した空き容量を前記発変電所の空き容量とする、
ことを特徴とする請求項１〜３のいずれか１項に記載の空き容量算定システム。
【請求項５】
前記空き容量システムは、前記系統アクセス情報公開諸元一覧表のデータと共に、前記発変電所に対して上位の設備である上位系設備の空き容量の算出結果が記入されている空き容量マップ諸元のデータを外部から参照可能に記憶し、
前記処理装置は、前記上位系設備の各設備についての空き容量を前記空き容量マップ諸元のデータから抽出し、前記空き容量算定シートの所定箇所に抽出した空き容量の値を記入する、
ことを特徴とする請求項１〜４のいずれか１項に記載の空き容量算定システム。
【発明の詳細な説明】
【技術分野】
【０００１】
この発明は、変電所等で電気の空き容量を算定する空き容量算定システムに関する。
【背景技術】
【０００２】
電気事業者が電気を需要家に供給する際に、発電所からの電気と共に再生エネルギー発電事業者からの電気が使用される場合がある。再生エネルギー発電事業者からの連系の申し込みが電気事業者にあると、電気事業者側では連系することができるかどうかを決めることになる。この再生エネルギー発電事業者には、例えば太陽光にょる発電をする事業者などがある。
【０００３】
つまり、高圧配電線に連系する再生エネルギー案件の系統空き容量の算定と確認は、電気事業者の電力所が作成しＧＦ公開している「空き容量算定シート」に対して、営業所にて最新の最小負荷・発電設備連系量を入力して行う。電気事業者は、こうした作業を、内容確認依頼を受ける都度に行っている。
【０００４】
一方、太陽光発電システムまたは太陽光発電設備について、再生エネルギー発電によるバンク逆潮流を予測する予測方式（例えば、特許文献１参照。）もある。
【先行技術文献】
【特許文献】
【０００５】
【特許文献１】特開２０１７−１０８５２７号公報
【発明の概要】
【発明が解決しようとする課題】
【０００６】
先に述べたように、太陽光発電事業者からの連系の申し込みがあると、空き容量算定シートへの最小負荷・発電設備連系量の入力と確認とを行う。このとき、依頼時に添付されている営業所では、発変電所のバンク毎に作成している「バンク管理表」を見て行う。
【０００７】
しかし、空き容量算定シートへの最小負荷・発電設備連系量の入力の際には、複数枚の帳票を見て担当者が行うため、入力および確認に誤りが生じるおそれがあった。
【０００８】
一方、従来の予測方式は再生エネルギー発電によるバンク逆潮流を予測するが、空き容量の予測には至っていないので、この方式を採用することはできない。
【０００９】
この発明の目的は、前記の課題を解決し、発変電所等の空き容量を確実に確認することを可能にする空き容量算定システムを提供することにある。
【課題を解決するための手段】
【００１０】
前記の課題を解決するために、請求項１の発明は、各発変電所のバンクの負荷および分散電源の値が記入されている系統アクセス情報公開諸元一覧表のデータを外部から参照可能に記憶している空き容量システムを利用する空き容量算定システムであって、指定された発変電所についてのバンクの負荷および分散電源の値を前記系統アクセス情報公開諸元一覧表のデータから抽出し、空き容量を確認するためにあらかじめ作成されている確認シートの所定箇所に前記抽出した負荷および分散電源の値を記入し、前記確認シートに記入した値から前記発変電所の各バンクでの空き容量を算定し、前記各バンクの算定した空き容量を前記確認シートに記入する処理装置、を備えることを特徴とする空き容量算定システムである。
【００１１】
請求項１の発明では、容量算定システムは、系統アクセス情報公開諸元一覧表のデータを外部から参照可能に記憶している空き容量システムを利用する。そして、処理装置は、指定された発変電所についてのバンクの負荷および分散電源の値を系統アクセス情報公開諸元一覧表のデータから抽出し、空き容量を確認するためにあらかじめ作成されている確認シートの所定箇所に抽出した負荷および分散電源の値を記入する。この後、処理装置は、確認シートに記入した値から発変電所の各バンクでの空き容量を算定し、各バンクの算定した空き容量を確認シートに記入する。
【００１２】
請求項２の発明は、請求項１に記載の空き容量算定システムにおいて、前記処理装置は、前記各バンクの空き容量を基に前記発変電所の空き容量を算定して前記確認シートに記入する、ことを特徴とする。
【００１３】
請求項３の発明は、請求項１または２に記載の空き容量算定システムにおいて、前記処理装置は、前記確認シートの所定箇所に前記負荷および分散電源の値を記入した後、この記入した値から前記各バンクの潮流を算定し、あらかじめ前記確認シートに記入されている前記各バンクの設備容量と、前記各バンクの算定した潮流とから各バンクの空き容量を算定する、ことを特徴とする。
【００１４】
請求項４の発明は、請求項１〜３のいずれか１項に記載の空き容量算定システムにおいて、前記処理装置は、前記確認シートに記入した負荷および分散電源の値から前記各バンクでの空き容量を算定した後、各空き容量の中で最小の値を選択し、選択した空き容量を前記発変電所の空き容量とする、ことを特徴とする。
【００１５】
請求項５の発明は、請求項１〜４のいずれか１項に記載の空き容量算定システムにおいて、前記空き容量システムは、前記系統アクセス情報公開諸元一覧表のデータと共に、前記発変電所に対して上位の設備である上位系設備の空き容量の算出結果が記入されている空き容量マップ諸元のデータを外部から参照可能に記憶し、
前記処理装置は、前記上位系設備の各設備についての空き容量を前記空き容量マップ諸元のデータから抽出し、前記空き容量算定シートの所定箇所に抽出した空き容量の値を記入する、ことを特徴とする。
【発明の効果】
【００１６】
請求項１の発明によれば、発変電所の空き容量確認用としてあらかじめ作成されている確認シートに対して、空き容量システムの系統アクセス情報公開諸元一覧表のデータを抽出して記入する。これにより、確認シートと系統アクセス情報公開諸元一覧表とを関連付けて、指定された発変電所の各バンクの空き容量を自動で確認シートに記入することを可能にする。
【００１７】
請求項２の発明によれば、各バンクの空き容量から、指定された発変電所の空き容量を自動で確認シートに記入することを可能にする。
【００１８】
請求項３の発明によれば、確認シートの所定箇所に負荷および分散電源の値を記入した後、この記入した値から潮流を算定する。そして、あらかじめ確認シートに記入されている設備容量と、算定した潮流とから各バンクの空き容量を算定するので、各バンクの空き容量を自動で算定して確認シートに記入することを可能にする。
【００１９】
請求項４の発明によれば、算出した各空き容量の中で最小の値を発変電所の空き容量とするので、発変電所の空き容量を簡単に、かつ自動で算定して、確認シートに記入することを可能にする。
【００２０】
請求項５の発明によれば、上位系設備の空き容量の値を確認シートに自動で記入することを可能にする。これにより、上位系設備について空き容量の確認を容易にすることを可能にする。
【図面の簡単な説明】
【００２１】
【図１】この発明の一実施の形態による空き容量算定システムを示す構成図である。
【図２】系統アクセス情報公開諸元一覧表の一例を示す図である。
【図３】空き容量マップ諸元の一例を示す図である。
【図４】営業所入力諸元の一例を示す図である。
【図５】確認シートの一例を示す図である。
【図６】確認シートの一例を示す図である。
【図７】確認シートの一例を示す図である。
【図８】上位系潮流図の一例を示す図である。
【図９】上位系潮流図の一部を示す図である。
【発明を実施するための形態】
【００２２】
次に、この発明の一実施の形態について、図面を用いて詳しく説明する。この実施の形態による空き容量算定システムを図１に示す。この空き容量算定システムは、空き容量システム１０と、処理装置２０とを備えている。そして、空き容量システム１０と処理装置２０とは通信網ＮＷを経て互いにデータの送受信が可能なように接続されている。
【００２３】
空き容量システム１０は電気事業者の例えば管理部門に設置されている。空き容量システム１０は、太陽光発電のような分散電源が系統に連系するときに、送電線や変圧器等の設備に空きがあるかを公開している。こうした空き容量システム１０は、第１の記憶部１１、第２の記憶部１２、潮流算出部１３、空き容量算出部１４、第３の記憶部１５および入出力部１６を備えている。
【００２４】
第１の記憶部１１は、系統アクセス情報公開諸元一覧表のデータを記憶している。系統アクセス情報公開諸元一覧表は、発変電所のバンクに関する負荷等の諸元を、全ての発変電所について所定の書式で記憶している。系統アクセス情報公開諸元一覧表の一例を図２に示す。この系統アクセス情報公開諸元一覧表には、発変電所のバンクに対応して、バンク負荷、バンク分散電源等の値がそれぞれ記憶されている。第１の記憶部１１はこれらの値を必要に応じて更新する。
【００２５】
第２の記憶部１２は、２２０ｋＶ等の超高圧系統での空き容量を表す空き容量一覧のデータを記憶している。第１の記憶部１１と同様に、第２の記憶部１２はこれらの値を必要に応じて更新する。
【００２６】
潮流算出部１３は、第１の記憶部１１が記憶している系統アクセス情報公開諸元一覧表のデータを基に潮流を計算する。
【００２７】
容量算出部１４は、第１の記憶部１１の系統アクセス情報公開諸元一覧表と、第２の記憶部１２の空き容量一覧と、潮流算出部１３からの計算結果とを基にして、超高圧系統の空き容量のマップ諸元を表す空き容量マップ諸元のデータを算出する。空き容量マップ諸元のデータは上位系潮流図作成の際に利用される。容量算出部１４は、算出結果である超高圧系統の空き容量マップ諸元のデータを第３の記憶部１５に送る。
【００２８】
第３の記憶部１５は、容量算出部１４から空き容量マップ諸元のデータを受け取ると、このデータを記憶する。空き容量マップ諸元の一例を図３に示す。この空き容量マップ諸元には、変電所や送電線などに対応して、容量算出部１４による算出結果つまり超高圧系統の空き容量が所定の形式でそれぞれ記憶されている。
【００２９】
入出力部１６は、系統アクセス情報公開諸元一覧表のデータおよび空き容量マップ諸元のデータの参照を可能にする。つまり、入出力部１６は、処理装置２０による２つのデータを外部から参照可能にする。
【００３０】
以上が空き容量システム１０の構成である。このように、空き容量システム１０は、系統アクセス情報公開諸元一覧表のデータと、空き容量マップ諸元のデータとを記憶している。そして、空き容量システム１０は、これらのデータを処理装置２０などの外部装置が参照可能な状態にしている。
【００３１】
処理装置２０は電気事業者の例えば営業部門に設置されている。処理装置２０は主に配変バンク逆潮流・上位系確認シート（以下、単に「確認シート」と記す）を作成する。なお、配変とは配電用変圧器を略記したものである。確認シートは、再生エネルギー発電事業者の発電による逆潮流が設備容量を超えていないか、設備容量以内の発電機を連系できるか、もし、設備容量以上の分散型電源を連系する場合には、変圧器の取り替え等を確認するために使用される。こうした確認シートを作成する処理装置２０は、入出力部２１、表示部２２、処理部２３、操作部２４およびデータ出力部２５を備えている。
【００３２】
入出力部２１は、系統アクセス情報公開諸元一覧表のデータおよび空き容量マップ諸元のデータの参照を、空き容量システム１０の入出力部１６と共に可能にする。つまり、入出力部２１は、空き容量システム１０が記憶する２つのデータを参照可能にする。
【００３３】
操作部２４は、営業部門の担当者によって操作されるマウスやキーボードのような装置である。操作部２４には、確認シートを作成する際に必要とする各データが入力される。操作部２４は入力されたデータを処理部２３に送る。
【００３４】
表示部２２は、操作部２４に入力されたデータ等を、処理部２３の制御によって表示するディスプレイのような装置である。これにより、表示部２２は、確認シートを表示することで、担当者に対して確認シートを提示する。
【００３５】
データ出力部２５は、各種のデータとして例えば処理部２３が作成した確認シートを、処理部２３の制御によって、プリンターなどのような外部の装置に出力する。これにより、データ出力部２５は、確認シートを出力することで、担当者に対して確認シートを提示する。
【００３６】
処理部２３は営業部門に関する各種の処理を行う。例えば、処理部２３は確認シートを自動的に作成する。以下では、処理部２３について述べると共にこの実施の形態による作用を併せて説明する。
【００３７】
処理部２３は次のようにして確認シートを作成する。例えば系統のＡ（変）のＮｏ．１配変に再生エネルギー発電の連系申込があると、担当者は操作部２４を操作して申込内容を入力していく。なお、Ａ（変）とはＡ変電所を略記したものである。操作部２４により入力される申込内容は、
申込内容の種別
定格出力
連系電圧
連系する配変
などである。
【００３８】
申込内容の入力が終了すると、処理部２３はＡ（変）における配変の空き容量を確認する。
【００３９】
つまり、処理部２３は、入出力部２１と空き容量システム１０の入出力部１６を経て、空き容量システム１０の第１の記憶部１１に記憶されている系統アクセス情報公開諸元一覧表のデータを参照する。そして、処理部２３は、入力された申込内容を基に系統アクセス情報公開諸元一覧表から、Ａ（変）配変の負荷や電源を表す営業所入力諸元のデータを作成する。営業所入力諸元のデータの一例を図４に示す。ここでは、処理部２３は、系統アクセス情報公開諸元一覧表の中で、Ａ（変）の＃１バンク（１Ｂ）と＃３バンク（３Ｂ）とのバンク負荷およびバンク分散電源の値を参照して、営業所入力諸元のデータを作成する。具体的には、＃１バンクおよび＃３バンクのバンク負荷の合計である
２．５ＭＷ
５．５ＭＷ
の値と、＃１バンクおよび＃３バンクのバンク分散電源の合計である
３．０ＭＷ
０．１ＭＷ
の値とを参照して、営業所入力諸元のデータｐ１〜ｐ８を所定の書式で作成している。なお、系統アクセス情報公開諸元一覧表（図２）の中で参照した値を、太枠で囲って表している。
【００４０】
具体的には、＃１バンクのバンク負荷の二次の値を、
２．５ＭＷ：Ａ（変）１Ｂ二次  負荷Ｌ１実績
を表すデータｐ１とし、＃１バンクのバンク負荷の三次の値を、
０ＭＷ：Ａ（変）１Ｂ三次  負荷Ｌ１実績
を表すデータｐ２としている。＃１バンクの分散電源の二次の値を、
３．０ＭＷ：Ａ（変）１Ｂ二次  分散電源
を表すデータｐ３とし、＃１バンクの分散電源の三次の値を、
０ＭＷ：Ａ（変）１Ｂ三次  分散電源
を表すデータｐ４としている。
【００４１】
また、＃３バンクのバンク負荷の二次の値を、
５．５ＭＷ：Ａ（変）３Ｂ二次  負荷Ｌ１実績
を表すデータｐ５とし、＃３バンクのバンク負荷の三次の値を、
０ＭＷ：Ａ（変）３Ｂ三次  負荷Ｌ１実績
を表すデータｐ６としている。＃３バンクの分散電源の二次の値を、
０．１ＭＷ：Ａ（変）３Ｂ二次  分散電源
を表すデータｐ７とし、＃３バンクの分散電源の三次の値を、
０ＭＷ：Ａ（変）３Ｂ三次  分散電源
を表すデータｐ８としている。
【００４２】
営業所入力諸元のデータの作成が終了すると、処理部２３は確認シートを作成する。処理部２３が作成する確認シートの一例を図５〜図７に示す。処理部２３は、先に入力された申込内容を、確認シートの入力欄ｑ１〜ｑ４に記入する。
【００４３】
次に、処理部２３はＡ（変）の配変におけるバンク１Ｂ二次潮流（常時）および空き容量を算定する。処理部２３は、営業所入力諸元のデータｐ１である、Ａ（変）のバンク１Ｂ二次の負荷の値２．５ＭＷを確認シートの入力欄１ａ１に記入する。また、処理部２３は、営業所入力諸元のデータｐ３である、Ａ（変）のバンク１Ｂ二次の分散電源の値３．０ＭＷを確認シートの入力欄１ａ２に記入する。
【００４４】
この後、処理部２３は、負荷の値２．５ＭＷと分散電源の値３．０ＭＷとから潮流の値を算定し、算定した値０．５ＭＷを確認シートに記入する。さらに、処理部２３は、この潮流の値０．５ＭＷと、あらかじめ算定されている設備容量の値１９．０ＭＷとから、Ａ（変）の配変におけるバンク１Ｂ二次の空き容量を算定し、算定した値１８．５ＭＷを確認シートの入力欄１ａに記入する。なお、設備容量は諸元に記入されている計算式で得られたものである。以下も同様である。
【００４５】
同じようにして、処理部２３はＡ（変）の配変におけるバンク１Ｂ三次潮流（常時）および空き容量を算定する。処理部２３は、営業所入力諸元のデータｐ２である、Ａ（変）のバンク１Ｂ三次の負荷の値０．０ＭＷを確認シートの入力欄１ｂ１に記入する。また、処理部２３は、営業所入力諸元のデータｐ４である、Ａ（変）のバンク１Ｂ三次の分散電源の値０．０ＭＷを確認シートの入力欄１ｂ２に記入する。
【００４６】
この後、処理部２３は、負荷の値０．０ＭＷと分散電源の値０．０ＭＷとから潮流の値を算定し、算定した値０．０ＭＷを確認シートに記入する。さらに、処理部２３は、この潮流の値０．０ＭＷと、あらかじめ算定されている設備容量の値０．０ＭＷとから、Ａ（変）の配変におけるバンク１Ｂ三次の空き容量を対象外として確認シートの入力欄１ｂに記入する。
【００４７】
次に、処理部２３はＡ（変）の配変におけるバンク１Ｂ一次潮流（常時）および空き容量を算定する。処理部２３は、先に算定したＡ（変）のバンク１Ｂ二次の潮流（常時）の値０．５ＭＷを基にした値−０．５ＭＷを負荷として確認シートの入力欄１ｃ１に記入する。また、処理部２３は、先に算定したＡ（変）のバンク１Ｂ三次の潮流（常時）の値０．０ＭＷを基にした値０．０ＭＷを負荷として確認シートの入力欄１ｃ２に記入する。
【００４８】
この後、処理部２３は、負荷の値−０．５ＭＷおよび値０．０ＭＷとから潮流の値を算定し、算定した値０．５ＭＷを確認シートに記入する。さらに、処理部２３は、この潮流の値０．５ＭＷと、あらかじめ算定されている設備容量の値１９．０ＭＷとから、Ａ（変）の配変におけるバンク１Ｂ一次の空き容量の値を算定し、算定した値１８．５ＭＷを確認シートの入力欄１ｃに記入する。
【００４９】
次に、処理部２３はＡ（変）の配変における１台停止時潮流（二次）および空き容量を算定する。処理部２３は、営業所入力諸元のデータｐ１である、Ａ（変）のバンク１Ｂ二次の負荷の値２．５ＭＷを確認シートの入力欄１ｄ１に記入し、営業所入力諸元のデータｐ５である、Ａ（変）のバンク３Ｂ二次の負荷の値５．５ＭＷを確認シートの入力欄１ｄ２に記入する。また、処理部２３は、営業所入力諸元のデータｐ３である、Ａ（変）のバンク１Ｂ二次の分散電源の値３．０ＭＷを確認シートの入力欄１ｄ３に記入し、営業所入力諸元のデータｐ７である、Ａ（変）のバンク３Ｂ二次の分散電源の値０．１ＭＷを確認シートの入力欄１ｄ４に記入する。
【００５０】
この後、処理部２３は、負荷の値２．５ＭＷおよび５．５ＭＷと分散電源の値３．０ＭＷおよび０．１ＭＷとから潮流の値を算定し、算定した値である４．９ＭＷを確認シートに記入する。さらに、処理部２３は、この潮流の値４．９ＭＷと、あらかじめ算定されている設備容量の値１９．０ＭＷとから、Ａ（変）の配変における１台停止時の空き容量を算定し、算定した値２３．９ＭＷを確認シートの入力欄１ｄに記入する。
【００５１】
次に、処理部２３はＡ（変）の配変における１台停止時潮流（三次）および空き容量を算定する。処理部２３は、営業所入力諸元のデータｐ２である、Ａ（変）のバンク１Ｂ三次の負荷の値０．０ＭＷを確認シートの入力欄１ｅ１に記入し、営業所入力諸元のデータｐ６である、Ａ（変）のバンク３Ｂ三次の負荷の値０．０ＭＷを確認シートの入力欄１ｅ２に記入する。また、処理部２３は、営業所入力諸元のデータｐ４である、Ａ（変）のバンク１Ｂ三次の分散電源の値０．０ＭＷを確認シートの入力欄１ｅ３に記入し、営業所入力諸元のデータｐ８である、Ａ（変）のバンク３Ｂ三次の分散電源の値０．０ＭＷを確認シートの入力欄１ｅ４に記入する。
【００５２】
この後、処理部２３は、２つの負荷の値０．０ＭＷおよび０．０ＭＷと２つの分散電源の値０．０ＭＷおよび０．０ＭＷとから潮流の値を算定し、算定した値０．０ＭＷを確認シートに記入する。さらに、処理部２３は、この潮流の値０．０ＭＷと、あらかじめ算定されている設備容量の値０．０ＭＷとから、Ａ（変）の配変における１台停止時の空き容量を対象外として確認シートの入力欄１ｅに記入する。
【００５３】
次に、処理部２３はＡ（変）の配変における１台停止時潮流（一次）および空き容量を算定する。処理部２３は、先に算定したＡ（変）の配変における１台停止時潮流（二次）の値４．９ＭＷを負荷として確認シートの入力欄１ｆ１に記入する。また、処理部２３は、同じく先に算定したＡ（変）の配変における１台停止時潮流（三次）の値０．０ＭＷを負荷として確認シートの入力欄１ｆ２に記入する。
【００５４】
この後、処理部２３は、２つの負荷の値４．９ＭＷと０．０ＭＷとから潮流の値を算定し、算定した値４．９ＭＷを確認シートに記入する。さらに、処理部２３は、この潮流の値４．９ＭＷと、あらかじめ算定されている設備容量の値１９．０ＭＷとから、Ａ（変）の配変における１台停止時潮流（一次）の空き容量を算定し、算定した値２３．９ＭＷを確認シートの入力欄１ｆに記入する。
【００５５】
次に、処理部２３は、Ａ（変）配変における６ｋＶ母連の潮流および空き容量を算定する。処理部２３は、先に算定したＡ（変）配変におけるバンク１Ｂの二次潮流（常時）の値−０．５ＭＷを負荷として確認シートの入力欄１ｇ１に記入する。
【００５６】
この後、処理部２３は、負荷の値−０．５ＭＷを基に潮流の値を算定し、算定した値０．５ＭＷを確認シートに記入する。さらに、処理部２３は、この潮流の値０．５ＭＷと、あらかじめ算定した設備容量の値２１．７ＭＷとから、Ａ（変）の配変における６ｋＶ母連の空き容量を算定し、算定した値２１．２ＭＷを確認シートの入力欄１ｇに記入する。
【００５７】
次に、処理部２３は、Ａ（変）配変における２２ｋＶ母連の潮流および空き容量を算定する。処理部２３は、先に算定したＡ（変）の配変におけるバンク１Ｂの三次潮流（常時）の値０．０ＭＷを負荷として確認シートの入力欄１ｈ１に記入する。
【００５８】
この後、処理部２３は、負荷の値０．０ＭＷから潮流の値を算定し、算定した値０．０ＭＷを確認シートに記入する。さらに、処理部２３は、この潮流の値０．０ＭＷと、あらかじめ算定されている設備容量の値０．０ＭＷとから、Ａ（変）の配変における２２ｋＶ母連の空き容量を対象外として確認シートの入力欄１ｈに記入する。
【００５９】
次に、処理部２３は、算定して入力欄１ａ〜１ｈに記入した各空き容量の値
入力欄１ａ：１８．５ＭＷ
入力欄１ｂ：対象外
入力欄１ｃ：１８．５ＭＷ
入力欄１ｄ：２３．９ＭＷ
入力欄１ｅ：対象外
入力欄１ｆ：２３．９ＭＷ
入力欄１ｇ：２１．２ＭＷ
入力欄１ｈ：対象外
の中から最小の値を選択し、選択した値１８．５ＭＷをＡ（変）配変の空き容量の確認結果とする。そして、処理部２３は空き容量の確認結果の値１８．５ＭＷを、確認シートの入力欄ｒ１（図５）に記入し、同時に表示部２２を制御してＡ（変）配変の空き容量を担当者に表示する。また、処理部２３は、データ出力部２５を制御して、作成した確認シートを出力するようにしてもよい。
【００６０】
このように、処理部２３は、系統アクセス情報公開諸元一覧表のデータと確認シートとを連携することにより、各空き容量を自動で算出し、算出結果を基にＡ（変）配変の空き容量を自動で算出することができる。つまり、処理部２３は、各バンクにおける負荷と分散電源との値を、系統アクセス情報公開諸元一覧表から自動で営業所入力諸元に抽出する。この後、処理部２３は、営業所入力諸元を基に、各バンクにおいて負荷と分散電源とから潮流を算定する。そして、処理部２３は、算定した潮流と、あらかじめ算定されている設備容量とから空き容量を算定する。
【００６１】
次に、処理部２３は、上位系設備（送電線・連系変圧器等）の空き容量を確認する。つまり、処理部２３は、空き容量システム１０の第３の記憶部１５に記憶されている空き容量マップ諸元から超高圧系統の空き容量の値３５．０ＭＷを抽出し、超高圧系統の空き容量の値として確認シートの入力欄２ａに記入する。
【００６２】
次に、処理部２３は先の入力欄１ｆに空き容量を記入する際に算出した、Ａ（変）の配変における１台停止時潮流（一次）の値４．９ＭＷを、上位系設備である１１０ｋＶ△△線の負荷として確認シートの入力欄２ｂ１に記入する。
【００６３】
この後、処理部２３は、この負荷の値４．９ＭＷと、あらかじめ算定されている設備容量の値１９９．０ＭＷとを基に、１１０ｋＶ△△線における空き容量の値２０３．９ＭＷを算定する。この後、処理部２３は算定した空き容量の値２０３．９ＭＷを入力欄２ｂに記入する。
【００６４】
次に、処理部２３は、入力欄２ａ、２ｂに記入した空き容量の値
入力欄２ａ：３５．０ＭＷ
入力欄２ｂ：２０３．９ＭＷ
の中から最小の値を選択し、選択した値３５．０ＭＷを上位系設備（送電線・連系変圧器等）の空き容量の確認結果として、入力欄ｒ２（図７）に記入して担当者に表示する。また、処理部２３は、データ出力部２５を制御して、作成した確認シートを出力するようにしてもよい。
【００６５】
ところで、処理部２３は上位系潮流図を作成する。上位系潮流図の一例を図８に示す。処理部２３は、系統図ｓ１に併記されている基幹系統空き容量の表示欄ｓ２に、空き容量マップ諸元のデータから該当する算出結果を抽出して記入する。なお、図８では詳細な系統図ｓ１の記載を省略している。表示欄ｓ２は系統図ｓ１の中の幹線系統の数に応じて表示される。
【００６６】
幹線系統の表示欄ｓ２に対する記入として例えば２２０ｋＶ□□連絡線空き容量である場合、処理部２３は、空き容量マップ諸元から該当する２０ＭＷを抽出する。そして、処理部２３は、２２０ｋＶ□□連絡線空き容量として、空き容量マップ諸元から抽出した２０ＭＷを、
２２０ｋＶ□□連絡線空き容量：２０ＭＷ
のように記入する。
【００６７】
同じようにして、表示欄ｓ２に対する記入として例えば□□（変）２２０／１１０ｋＶ連系Ｔｒ空き容量である場合、処理部２３は、空き容量マップ諸元から該当する２０ＭＷを抽出する。そして、処理部２３は、□□（変）２２０／１１０ｋＶ連系Ｔｒ空き容量として、抽出した２０ＭＷを、
□□（変）２２０／１１０ｋＶ連系Ｔｒ空き容量：２０ＭＷ
のように記入する。
次に、処理部２３は、上位系潮流図ｓ１の例えば図９に示すように、Ａ（変）について分散電源の合計として、例えば、
Ｇ  ３．１
を記入し、負荷の合計として、例えば、
Ｌ  ８．０
を記入する。なお、図９は上位系潮流図ｓ１の中の一部を示したものである。
【００６８】
この後、処理部２３は、表示部２２を制御して上位系潮流図を表示し、必要に応じてデータ出力部２５から出力する。
【００６９】
こうして、この実施の形態によれば、系統アクセス情報公開諸元一覧表および空き容量マップ諸元と、確認シートとを連携することにより、確認シートの分散電源の入力欄や負荷の入力欄に対する分散電源や負荷の入力を自動で行うことができる。これにより、確認シートを作成する際に人間系が介在しないので、空き容量を確実に確認することを可能にする。
【符号の説明】
【００７０】
１０  空き容量システム
１１  第１の記憶部
１２  第２の記憶部
１３  潮流算出部
１４  空き容量算出部
１５  第３の記憶部
１６  入出力部
２０  処理装置
２１  入出力部
２２  表示部
２３  処理部
２４  操作部
２５  データ出力部
ＮＷ  通信網
【図１】
2020092581.tif 000003
【図２】
2020092581.tif 000004
【図３】
2020092581.tif 000005
【図４】
2020092581.tif 000006
【図５】
2020092581.tif 000007
【図６】
2020092581.tif 000008
【図７】
2020092581.tif 000009
【図８】
2020092581.tif 000010
【図９】
2020092581.tif 000011